(57)【特許請求の範囲】
【請求項１】
内部に液収容室が形成された略円筒形状の容器本体と、
前記容器本体の上側に配置されたノズル部と、
前記液収容室と前記ノズル部内とを連通可能であるとともに該連通を遮断可能な弁部を備えた通路部と、
を備え、前記液収容室と前記ノズル部内とが連通されると、前記液収容室に収容された蓄光剤含有液が、前記通路部を通って、前記ノズル部に形成された噴出孔から噴出され、前記液収容室と前記ノズル部内との連通が遮断されると、前記蓄光剤含有液の噴出が停止されるように構成され、
前記液収容室に向けて前記蓄光剤含有液中の蓄光剤を励起可能な波長の光を発光する発光体が、前記容器本体の底壁部の上面側に複数個配置され、
前記液収容室に撹拌ボールが収容され、
前記発光体が発光するための電源となる電池と、前記電池から前記発光体への給電を開始し、また、該給電を停止するための操作部とを備えることを特徴とする蓄光剤スプレー。
【請求項２】
前記容器本体の周壁部の内面側にも、前記発光体が配置されていることを特徴とする請求項１記載の蓄光剤スプレー。
【請求項３】
前記液収容室の中央部に発光体配置部が設けられ、
前記発光体配置部にも前記発光体が配置されていることを特徴とする請求項１記載の蓄光剤スプレー。
【請求項４】
前記発光体が透明樹脂層内に配置されていることを特徴とする請求項１、２又は３記載の蓄光剤スプレー。
【発明の詳細な説明】
【技術分野】
【０００１】
本発明は、災害時や緊急時等に路面や建物等に蓄光剤を吹き付けて目印としたり、防犯用に車等に蓄光剤を吹き付けて目印としたりするための蓄光剤スプレーに関する。
【背景技術】
【０００２】
夜間、災害時や緊急時等に路面や建物等に蓄光剤を吹き付けて、光る目印や文字を表示し、避難する人を誘導したり危険な箇所を示したりしたいことがある。しかしながら、蓄光剤は励起されていない状態で吹き付けても夜間等暗い状態では発光しないという問題がある。この点、予め蓄光剤を励起させておいて吹き付け可能な蓄光剤噴射装置として、下記特許文献１に記載されたものがある。この蓄光剤噴射装置は、防犯用のものであり、犯人の逃走経路となりそうな位置に予め設置し、スイッチの操作により自動的に蓄光剤を噴射する構造とされている。また、蓄光剤を収容するボンベ本体は透明なガラス成型品とされ、周囲に配置したＬＥＤにより、ボンベ本体の外側から紫外線を照射して、蓄光剤を予め励起しておくものとされている。
【先行技術文献】
【特許文献】
【０００３】
【特許文献１】特開２００６−１７８５９５公報（段落００２６〜００２８、００３２）
【発明の概要】
【発明が解決しようとする課題】
【０００４】
しかし、上記従来の蓄光剤噴射装置は、大型で据え置き型とされており、路面や建物等任意の場所に蓄光剤を吹き付けるために持ち運ぶことはできないという問題があった。
【０００５】
本発明は、上述した問題を解決するものであり、予め励起した状態の蓄光剤を吹き付け可能であるとともに、持ち運んで使用することが可能な蓄光剤スプレーを提供することを目的とする。
【課題を解決するための手段】
【０００６】
本発明の蓄光剤スプレーは、内部に液収容室が形成された略円筒形状の容器本体と、前記容器本体の上側に配置されたノズル部と、前記液収容室と前記ノズル部内とを連通可能であるとともに該連通を遮断可能な弁部を備えた通路部と、を備え、前記液収容室と前記ノズル部内とが連通されると、前記液収容室に収容された蓄光剤含有液が、前記通路部を通って、前記ノズル部に形成された噴出孔から噴出され、前記液収容室と前記ノズル部内との連通が遮断されると、前記蓄光剤含有液の噴出が停止されるように構成され、前記液収容室に向けて前記蓄光剤含有液中の蓄光剤を励起可能な波長の光を発光する発光体が、前記容器本体の底壁部の上面側に複数個配置され、前記液収容室に撹拌ボールが収容され、前記発光体が発光するための電源となる電池と、前記電池から前記発光体への給電を開始し、また、該給電を停止するための操作部とを備えることを特徴とする。
【０００７】
これによれば、操作部を操作することにより発光体が発光して、その光により液収容室内の蓄光剤含有液に含まれる蓄光剤が励起されるため、吹き付け前に操作部を操作しておくことにより、予め励起された状態の蓄光剤を吹き付け可能である。また、容器本体又は容器本体内部の少なくとも一方に発光体が配置されるとともに、発光体を発光させるための電池及び操作部を備えるものであるため、持ち運んで使用することが可能である。
【０００８】
ここで、前記容器本体の周壁部の内面側にも、前記発光体が配置されていることとしてもよい。
【０００９】
これによれば、容器本体がそもそも有する周壁部を、発光体を配置するためのベースとして利用できるため、製造が容易である。
【００１０】
また、前記液収容室の中央部に発光体配置部が設けられ、前記発光体配置部にも前記発光体が配置されていることとしてもよい。
【００１１】
これによれば、発光体配置部と容器本体の周壁部との間を蓄光剤含有液が通過することとなり、このとき、蓄光剤含有液は、発光体から直接光を照射されるとともに、容器本体の周壁部に反射された光の照射も受け易くなるため、蓄光剤が速やかに励起されることとなる。
【００１２】
さらに、前記発光体が透明樹脂層内に配置されていることとしてもよい。
【００１３】
これによれば、容器本体を二重壁にしたり発光体にカバーを設けたりしなくても、簡易な構成で発光体を保護可能であり、また、発光体が設けられている部位の強度を増すことが可能である。
【発明の効果】
【００１４】
本発明の蓄光剤スプレーは、予め励起した状態の蓄光剤を吹き付け可能であり持ち運んで使用可能である。
【図面の簡単な説明】
【００１５】
【図１】本発明の第１実施形態に係る概略縦断面図である。
【図２】本発明の第２実施形態に係る概略縦断面図である。
【図３】本発明の第３実施形態に係る概略縦断面図である。
【図４】本発明の第４実施形態に係る概略縦断面図である。
【図５】本発明の第４実施形態に係る発光体配置部の概略横断面図である。
【発明を実施するための形態】
【００１６】
以下、本発明の各実施形態を図面に基づいて説明する。
【００１７】
〈第１実施形態〉第１実施形態に係る蓄光剤スプレーＳ１は、持ち運び（携帯）可能な大きさのスプレー容器１に、蓄光剤含有液として蓄光塗料２が、圧縮ガスとともに収容されたものである。スプレー容器１は、内部に液収容室２０が形成された容器本体１０と、液収容室２０内に挿入され、液収容室２０の下部まで延設されたチューブ４０と、チューブ４０の上端側に弁部４２を介在させて取り付けられ、容器本体１０の上側に配置されたノズル部３０とを備え、チューブ４０及び弁部４２により、液収容室２０とノズル部３０内（具体的には、ノズル部３０内に設けられた図示しないノズル）とを連通可能な通路部４１が構成されている。
【００１８】
容器本体１０は、金属製で有底有蓋の略円筒形状をなし、内部の空間部が液収容室２０とされている。詳しくは、容器本体１０は、上部が窄まった略円筒形状の周壁部１１と、上に凸となるように湾曲し中央に孔を有する略円形状をなす底壁部１２と、中央に孔を有する円形状をなす上壁部１３とから構成されている。そして、上壁部１３の中央の孔は、弁部４２が挿通されることにより閉塞され、底壁部１２の中央の孔は、後述する電池８０、操作ボタン８１、及び、それらを配置するための図示しない部材により閉塞される。したがって、液収容室２０は密閉空間とされる。
【００１９】
液収容室２０には、蓄光剤含有液として蓄光塗料（蓄光剤を含有した塗料）２が圧縮ガスとともに収容され、また、撹拌ボール５０が収容されている。蓄光塗料２は、周知のものであるので、ここでは詳述しない。
【００２０】
ノズル部３０は、チューブ４０の上端側に、弁部４２を介在させて装着され、図示しないバネにより、上方に付勢されている。ノズル部３０内には、図示しないノズルが設けられ、そのノズルの下流端の噴出孔３１が、ノズル部３０の外周面に開口している。そして、ノズル部３０を押し下げることにより、弁部４２に内蔵された図示しない弁が開弁して、通路部４１が液収容室２０とノズル部３０内とを連通し、ノズル部３０の押し下げを止めることによりノズル部３０が元の位置に復帰すると、弁部４２に内蔵された弁が閉弁して、液収容室２０とノズル部３０内との連通が遮断される。
【００２１】
容器本体１０の内部には、底壁部１２の上面に密着して透明な合成樹脂からなる透明樹脂層７０が形成され、透明樹脂層７０内には、蓄光塗料２中の蓄光剤を励起可能な波長の光を発光する複数のＬＥＤ（発光体に相当。）６０が、底壁部１２に沿って配置されている。すなわち、底壁部１２の上面側に、複数のＬＥＤ６０が配置されている。透明樹脂層７０は、底壁部１２の上面全体に形成され、各ＬＥＤ６０は、液収容室２０内に露出して蓄光塗料２や撹拌ボール５０に触れることのないように、透明樹脂層７０内に埋め込まれている。すなわち、各ＬＥＤ６０は、透明樹脂層７０で覆われている。ＬＥＤ６０は、平面視において、底壁部１２の中央部に配置されるとともに、底壁部１２の周縁部に沿って複数個が円形状に並んで配置されている。透明樹脂層７０は、ＬＥＤ６０の光を透過可能なものであればよく、ここでいう「透明」とは、無色透明に限らず、有色透明の場合も含む意である。
【００２２】
各ＬＥＤ６０は、チップ型であり、発光を制御するための電子回路が設けられた電子回路部６１を有している。各ＬＥＤ６０は、その光軸が液収容室２０側を向くように配置され、すなわち、各ＬＥＤ６０は液収容室２０に向けて光を照射する。ここで、使用されている蓄光剤は、一般的なものであり、その励起スペクトルは、紫外線（近紫外線）領域（波長約２００ｎｍ以上約４００ｎｍ以下の範囲）から可視光領域の短波長領域（波長約４００ｎｍ以上約５００ｎｍ以下の範囲）にまで及ぶが、大半が紫外線領域とされている。したがって、励起を効率よく行うため、各ＬＥＤ６０は、発光する光のピークが波長約２００ｎｍ以上約４００ｎｍ以下の範囲にあるいわゆる紫外線ＬＥＤとされているが、必ずしも紫外線ＬＥＤとしなくてもよく、例えば、発光する光の中に波長約４００ｎｍ以上約５００ｎｍ以下の光を含む白色ＬＥＤであってもよい。
【００２３】
底壁部１２の外面中央部には、操作ボタン８１が、容器本体１０の下方に突出するように設けられている。操作ボタン８１は、ボタン電池である電池８０を有した回路基板（図示せず）に接続され、当該回路基板は各ＬＥＤ６０の電子回路部６１に接続されている。なお、これらの接続のための配線は図示していない。
【００２４】
そして、操作ボタン８１を押すと、電池８０から各ＬＥＤ６０に給電されて、各ＬＥＤ６０が発光し、操作ボタン８１を再度押すと、電池８０から各ＬＥＤ６０への給電が停止されて、各ＬＥＤ６０の発光が停止される。すなわち、電池８０は、各ＬＥＤ６０が発光するための電源となるものであり、操作ボタン８１は、電池８０から各ＬＥＤ６０への給電を開始し、また、当該給電を停止（終了）するための操作部となるものである。電池８０は、例えば操作ボタン８１の配置部分を開放すること等により、容器本体１０の外部から交換可能とされている。
【００２５】
以上のように構成された蓄光剤スプレーＳ１を用いて、道路等に文字等を書く場合には、まず、操作ボタン８１を押す。すると、電池８０から各ＬＥＤ６０への給電が開始され、各ＬＥＤ６０が発光して、その光が透明樹脂層７０を透過して液収容室２０内の蓄光塗料２に照射される。また、このとき、蓄光剤スプレーＳ１を振って、蓄光塗料２が液収容室２０内を流動するようにする。これにより、蓄光塗料２に含まれる蓄光剤が、万遍なくＬＥＤ６０からの光の照射を受けて、励起することとなる。また、撹拌ボール５０が液収容室２０内を移動して蓄光塗料２を撹拌するため、撹拌ボール５０がない場合に比して、蓄光塗料２が速やかに撹拌され、蓄光塗料２に含まれる蓄光剤が、速やかに万遍なく励起することとなる。
【００２６】
適宜の時間蓄光剤スプレーＳ１を振った後、文字等を書きたい場所に噴出孔３１を向け、ノズル部３０を押す。すると、弁部４２に内蔵された弁が開弁し、液収容室２０内の圧縮ガスの圧力により、蓄光塗料２が通路部４１を通ってノズル部３０内のノズルに流入し、噴出孔３１から噴出される。蓄光塗料２は、含有する蓄光剤が吹き付け前に励起されているため、噴出当初から発光した状態であり、光る文字等が書けることとなる。
【００２７】
なお、それ以上の励起が不要である場合等には、操作ボタン８１を再度押せば、電池８０から各ＬＥＤ６０への給電が停止されるので、電池８０を節約可能である。
【００２８】
このように、蓄光剤スプレーＳ１は、容器本体１０の内部に蓄光塗料２中の蓄光剤を励起可能な波長の光を発光する複数のＬＥＤ６０が配置されるとともに、各ＬＥＤ６０が発光するための電源となる電池８０、及び、電池８０から各ＬＥＤ６０への給電を開始するための操作ボタン８１を備え、操作ボタン８１を押すことにより、各ＬＥＤ６０が発光して、容器本体１０の内部に収容された蓄光塗料２が励起される。すなわち、蓄光剤スプレーＳ１は、容器本体１０内の蓄光塗料２を励起させるＬＥＤ６０と、ＬＥＤ６０を発光させる電源と、ＬＥＤ６０への電源供給を開始するための操作部とを備えているため、災害時や緊急時等に使用者が持ち運んで（携帯して）任意の場所で使用可能である。
【００２９】
また、蓄光塗料２を吹き付ける前に、蓄光塗料２を励起させておくことができるため、夜間等暗い状態であっても、吹き付け当初から光る文字等を表示することができる。
【００３０】
また、蓄光剤スプレーＳ１では、容器本体１０の底壁部１２の上面側に各ＬＥＤ６０が配置され、容器本体１０がそもそも有する底壁部１２を、各ＬＥＤ６０を配置するためのベースとして利用できるため、製造が容易である。
【００３１】
そして、底壁部１２の上面側に透明樹脂層７０を形成し、透明樹脂層７０内に各ＬＥＤ６０を配置しているため、容器本体１０を二重壁にしたり各ＬＥＤ６０にカバーを設けたりしなくても、簡易な構成で各ＬＥＤ６０を保護可能であり、また、底壁部１２の強度が増すこととなる。
【００３２】
〈第２実施形態〉次に、第２実施形態について説明する。なお、第１実施形態の構成要素と共通する構成要素については、同じ符号を付して、その説明を適宜省略する。
【００３３】
図２に示すように、第２実施形態に係る蓄光剤スプレーＳ２は、ＬＥＤ６０が周壁部１１の内面側にも配置されている点が、第１実施形態に係る蓄光剤スプレーＳ１と異なる。蓄光剤スプレーＳ２では、透明樹脂層７０は、底壁部１２の上面のみならず周壁部１１の内面にも密着して形成され（ここでは、周壁部１１の内面全体に形成され）、透明樹脂層７０内に複数のＬＥＤ６０が周壁部１１に沿って配置されている。各ＬＥＤ６０は、液収容室２０内に露出しないように、透明樹脂層７０内に埋め込まれている。周壁部１１の内面側に配置されたＬＥＤ６０は、複数個が上下方向に並設されるとともに、周方向にも沿って複数個が並設される。なお、図２では、上下方向に並設されたＬＥＤ６０の電子回路部６１同士が密接しているが、電子回路部６１同士を密接させずに間隔を置いてもよい。周方向に沿ってＬＥＤ６０を並設するときも同様である。周壁部１１の内面側に配置された各ＬＥＤ６０は、その光軸が液収容室２０側を向くように配置されている。
【００３４】
以上のように構成された蓄光剤スプレーＳ２を用いて、道路等に文字等を書く場合にも、蓄光剤スプレーＳ１と同様に、まず、操作ボタン８１を押して各ＬＥＤ６０を発光させ、蓄光剤スプレーＳ２を振って、液収容室２０内の蓄光塗料２を撹拌する。これにより、液収容室２０内の蓄光塗料２に含まれる蓄光剤が、ＬＥＤ６０からの光の照射を受けて、励起することとなる。また、蓄光剤スプレーＳ２では、底壁部１２の上面側のみならず周壁部１１の内面側にもＬＥＤ６０が配置されているため、底壁部１２の上面側にのみＬＥＤ６０が配置されている蓄光剤スプレーＳ１に比して、早く蓄光剤が万遍なく励起することとなる。適宜の時間蓄光剤スプレーＳ２を振った後、蓄光剤スプレーＳ１と同様に、文字等を書きたい場所に噴出孔３１を向け、ノズル部３０を押すと、当初から発光した状態の蓄光塗料２が噴出され、光る文字等が書けることとなる。
【００３５】
このように、蓄光剤スプレーＳ２によれば、蓄光剤スプレーＳ１と同様に持ち運び可能で、夜間等暗い状態であっても、吹き付け当初から光る文字等を表示することが可能であるとともに、より早く蓄光剤が励起されるため、災害時や緊急時等に迅速に対応できることとなる。
【００３６】
また、蓄光剤スプレーＳ２では、容器本体１０の底壁部１２の上面側及び周壁部１１の内面側に各ＬＥＤ６０が配置され、容器本体１０がそもそも有する周壁部１１及び底壁部１２を、各ＬＥＤ６０を配置するためのベースとして利用できるため、製造が容易である。
【００３７】
そして、周壁部１１の内面側及び底壁部１２の上面側に透明樹脂層７０を形成し、透明樹脂層７０内に各ＬＥＤ６０を配置しているため、簡易な構成で各ＬＥＤ６０を保護可能であり、また、周壁部１１及び底壁部１２の強度が増すこととなる。なお、この点を考慮しなければ、次に説明する第３実施形態のように、透明樹脂層７０を設けない形態としてもよい。
【００３８】
〈第３実施形態〉次に、第３実施形態について説明する。なお、第２実施形態の構成要素と共通する構成要素については、同じ符号を付して、その説明を適宜省略する。
【００３９】
図３に示すように、第２実施形態に係る蓄光剤スプレーＳ３は、容器本体１０が二重壁部を有し、その二重壁部内に各ＬＥＤ６０が配置されている。詳しくは、周壁部１１の内側に、透明な合成樹脂製又はガラス製の内側周壁部１４が形成され、底壁部１２の内側（上側）に、透明な合成樹脂製又はガラス製の内側底壁部１５が形成され、周壁部１１と内側周壁部１４とで二重壁部を構成するとともに、底壁部１２と内側底壁部１５とで二重壁部を構成している。周壁部１１と内側周壁部１４との間、及び、底壁部１２と内側底壁部１５との間は、空間部７１とされ、空間部７１に複数のＬＥＤ６０が配置されている。液収容室２０は、内側周壁部１４と内側底壁部１５と上壁部１３とで囲まれた部分とされ、各ＬＥＤ６０は、その光軸を液収容室２０側に向けて配置されている。
【００４０】
以上の点を除けば、蓄光剤スプレーＳ３は、蓄光剤スプレーＳ２と同様に構成されている。
【００４１】
蓄光剤スプレーＳ３によっても、蓄光剤スプレーＳ２と同様に持ち運び可能で、夜間等暗い状態であっても、吹き付け当初から光る文字等を表示することが可能である。また、底壁部１２の上面側及び周壁部１１の内面側にＬＥＤ６０を配置することにより、迅速に蓄光剤を励起することができる。
【００４２】
なお、蓄光剤スプレーＳ３では、内側周壁部１４を上壁部１３まで延設して、容器本体１０の上壁部１３を除く全体を二重壁部としたが、底壁部１２にのみＬＥＤ６０が配置されている場合には、内側周壁部１４を設ける必要はなく、また、内側周壁部１４をＬＥＤ６０の配置高さより若干高い位置までとする等、ＬＥＤ６０の配置部位のみ二重壁部とすることとしてもよい。
【００４３】
〈第４実施形態〉次に、第４実施形態について説明する。なお、第１実施形態の構成要素と共通する構成要素については、同じ符号を付して、その説明を適宜省略する。
【００４４】
図４に示すように、第４実施形態に係る蓄光剤スプレーＳ４は、ＬＥＤ６０が、底壁部１２の上面側のみならず、液収容室２０の中央部に設けられた発光体配置部９０にも配置されている点が、第１実施形態に係る蓄光剤スプレーＳ１と異なる。なお、図４では、発光体配置部９０に配置されたＬＥＤ６０の列を、断面で表示せず、正面図で表示している。
【００４５】
詳しくは、発光体配置部９０は、図５に示すように、断面多角形（円形でもよい。）の筒状のベース部９１を備え、ベース部９１に、複数のＬＥＤ６０が、上下方向及び周方向に並んで装着され、それらのＬＥＤ６０の外側（液収容室２０を向く側）が透明樹脂層７０で覆われている。また、ベース部９１の下端開口部及び上端開口部は閉塞されている。
【００４６】
そして、発光体配置部９０は、底壁部１２の中央部に形成された孔から容器本体１０内に挿入されて、液収容室２０の中央部に立設され、その下端側には、第１実施形態の蓄光剤スプレーＳ１と同様に、電池８０を有した回路基板及び操作ボタン８１が配置される。なお、チューブ４０は、発光体配置部９０を避けて配置されるが、発光体配置部９０内を挿通するように配置してもよい。
【００４７】
以上のように構成された蓄光剤スプレーＳ４を用いて、道路等に文字等を書く場合にも、蓄光剤スプレーＳ１と同様に、まず、操作ボタン８１を押して各ＬＥＤ６０を発光させ、蓄光剤スプレーＳ４を振って、液収容室２０内の蓄光塗料２を撹拌する。これにより、液収容室２０内の蓄光塗料２に含まれる蓄光剤が、ＬＥＤ６０からの光の照射を受けて、励起することとなる。また、蓄光剤スプレーＳ４では、液収容室２０の中央部に立設された発光体配置部９０と、容器本体１０の周壁部１１との間を、蓄光塗料２が通過することとなり、蓄光塗料２は、発光体配置部９０のＬＥＤ６０から直接光を照射されるとともに、周壁部１１に反射された光の照射も受け易くなるため、速やかに励起されることとなる。なお、この点から、周壁部１１は内面がＬＥＤ６０の光を反射し易いものであることが好ましい。また、蓄光剤スプレーＳ４を振ったときに、蓄光塗料２は、発光体配置部９０にぶつかって撹拌されることからも、早く万遍なく励起されることとなる。
【００４８】
適宜の時間蓄光剤スプレーＳ４を振った後、蓄光剤スプレーＳ１と同様に、文字等を書きたい場所に噴出孔３１を向け、ノズル部３０を押すと、当初から発光した状態の蓄光塗料２が噴出され、光る文字等が書けることとなる。
【００４９】
このように、蓄光剤スプレーＳ４によれば、蓄光剤スプレーＳ１と同様に持ち運び可能で、夜間等暗い状態であっても、吹き付け当初から光る文字等を表示することが可能であるとともに、より早く蓄光剤が励起されるため、災害時や緊急時等に迅速に対応できることとなる。
【００５０】
そして、発光体配置部９０においても、透明樹脂層７０内に各ＬＥＤ６０を配置しているため、各ＬＥＤ６０を、撹拌ボール５０の衝突による衝撃等から保護可能である。
【００５１】
〈変形例〉以下、変形例について説明する。
【００５２】
（１）ＬＥＤ６０を、底壁部１２の上面側には設けずに、周壁部１１の内面側にのみ設けることとしてもよいし、発光体配置部９０にのみ設けることとしてもよい。但し、底壁部１２の上面側にＬＥＤ６０を設ければ、蓄光剤含有液が少量となった場合にも、励起し易い。
【００５３】
（２）各ＬＥＤ６０を、透明樹脂層７０や内側周壁部１４、内側底壁部１５で覆う代わりに、それぞれ別個の透明カバーで覆うようにしてもよい。
【００５４】
（３）上記各実施形態では、各ＬＥＤ６０を容器本体１０の内部に設けたが、各ＬＥＤ６０を容器本体１０の壁部（例えば、周壁部１１や底壁部１２）に埋め込む等、容器本体１０自体に配置してもよい。そして、各ＬＥＤ６０が液収容室２０内に露出して蓄光塗料２に触れることのないように、透明樹脂層７０で各ＬＥＤ６０を覆ったり、それぞれ別個の透明カバーで覆ったりしてもよい。
【００５５】
（４）容器本体１０の一部又は全部を、透明なもの（例えば、透明な合成樹脂製やガラス製）としてもよい。そうすれば、太陽光や照明等、容器本体１０の外部からの光によっても、蓄光剤を励起することができる。さらに、容器本体１０の壁部（例えば、周壁部１１や底壁部１２）を透明なものとして、その透明な壁部に、ＬＥＤ６０を液収容室２０に露出しないように埋め込むこととすれば、ＬＥＤ６０を別途、透明樹脂層７０で覆ったり、別個の透明カバーで覆ったり、二重壁部を構成したりする必要がない。
【００５６】
（５）発光体配置部９０を容器本体１０の下方から挿入するのではなく、容器本体１０の上方から挿入する形態とし、容器本体１０の外面（例えば、上面）やノズル部３０に電池８０及び操作ボタン８１を設け、電池８０及び操作ボタン８１と発光体配置部９０の各ＬＥＤ６０とを電気的に接続することとしてもよい。そうすれば、底壁部１２に操作ボタン８１等を配置するための孔を設けなくてもよくなるため、底壁部１２の強度を増すことができる。また、その場合、チューブ４０を発光体配置部９０の内部に挿通することとしてもよい。
【００５７】
（６）上記各実施形態では、一般的な蓄光剤の励起スペクトルが、波長約２００ｎｍ以上約５００ｎｍ以下の範囲にあるため、発光体として、近紫外線を発光するＬＥＤを用いたが、蓄光剤の励起スペクトルの範囲に対応させて、発光体は適宜変更可能である。すなわち、発光体としては、蓄光剤含有液中の蓄光剤を励起可能な波長の光を発光するもの、換言すれば、発光する光の中に、蓄光剤含有液中の蓄光剤を励起可能な波長の光を含むもの（好ましくは、蓄光剤の励起スペクトルと大半で重なる発光スペクトルを有するもの、あるいは、波長のピークが蓄光剤の励起スペクトルに重なるもの）であればよく、上述した紫外線ＬＥＤや白色ＬＥＤの他、ＬＥＤ以外の例えば蛍光灯等を用いてもよい。但し、ＬＥＤであれば、小さいスペースに設置可能であるので、容器本体１０の小型化が容易であり、消費電力が少ないので、小型の電池８０を利用可能である。
【符号の説明】
【００５８】
２    蓄光塗料
１０  容器本体
１１  周壁部
１２  底壁部
２０  液収容室
３０  ノズル部
４１  通路部
６０  ＬＥＤ（発光体）
７０  透明樹脂層
８０  電池
８１  操作ボタン（操作部）
９０  発光体配置部
Ｓ１，Ｓ２，Ｓ３，Ｓ４  蓄光剤スプレー
【図１】
0006257507.tif 000002
【図２】
0006257507.tif 000003
【図３】
0006257507.tif 000004
【図４】
0006257507.tif 000005
【図５】
0006257507.tif 000006